(57)【要約】【課題】  住宅の階段や廊下の出隅入隅コーナー部、又は、階段の上がり鼻部の笠木取り付け構造であって、笠木の接続箇所の加工精度が多少劣っていても、簡単に精度良く仕上がり良く取り付け可能で、また、施工作業性にも優れ、さらに、単一の部材のみで極めて容易に笠木どうしを接続可能とし、長期間使用後に化粧シートの剥離等が生じても目立つことがない笠木取り付け構造を安価に提供することにある。【解決手段】  手すり壁のコーナー部に笠木部材によって取り付けられる笠木取り付け構造であって、一方の水平笠木と、それと略直角に取り付けられる他方の水平笠木と、それらを接続する笠木部材とからなり、該笠木部材によって水平笠木どうしが略直交するように折曲して設けられ、笠木部材の端縁に切欠段部が設けられ、水平笠木端縁が笠木部材の切欠段部に嵌合されるようにした。【選択図】        図１
2009191483.tif 000002
【特許請求の範囲】
【請求項１】
住宅の手すり壁コーナーの上部端縁にコーナー下地を介して笠木部材によって取り付けられる笠木取り付け構造であって、一方の水平笠木と、それと略直角に取り付けられる他方の水平笠木と、それらを接続する笠木部材としての水平コーナー部材とからなり、該水平コーナー部材によって両方からの水平笠木どうしが略直交するように折曲して設けられ、前記水平コーナー部材の笠木側端縁に切欠段部が被せ部を残すようにして設けられ、前記水平笠木端縁が水平コーナー部材の切欠段部に嵌合され、被せ部で隠蔽されていることを特徴とする笠木取り付け構造。
【請求項２】
前記水平コーナー部材はコーナー下地の表面に設けられた接着手段とコーナー下地の端部に設けられた機械的取付手段とを併用して取り付け固定されており、前記コーナー下地表面の水平笠木側の端縁近傍に補助固定手段があらかじめ設けられていることを特徴とする請求項１に記載の笠木取り付け構造。
【請求項３】
住宅の階段の手すり壁の上部端縁及び床面から略垂直な立ち上がり側面に笠木部材によって取り付けられる笠木取り付け構造であって、階段側の斜行笠木と、床面から立ち上がるように取り付けられる垂直笠木と、それらを接続する笠木部材としての縦コーナー部材とからなり、該縦コーナー部材を介して両方からの笠木どうしが斜交するように折曲して設けられ、前記縦コーナー部材の少なくとも斜行笠木側の端縁には切欠段部が被せ部を残すようにして設けられ、前記斜行笠木の端縁が縦コーナー部材の切欠段部に嵌合され被せ部で隠蔽されており、前記垂直笠木の上部端縁が縦コーナー部材の下端縁に嵌合又は当接していることを特徴とする笠木取り付け構造。
【請求項４】
住宅の階段の手すり壁の上部端縁に笠木部材によって斜行して取り付けられる笠木取り付け構造であって、斜行して取り付けられる斜行笠木と、該斜行笠木の下端縁に取り付けられる笠木部材としてのスタート部材とからなり、前記スタート部材の斜行笠木側の端縁に切欠段部が被せ部を残すようにして設けられ、前記斜行笠木の下端縁がスタート部材の切欠段部に嵌合され、被せ部で隠蔽されていることを特徴とする笠木取り付け構造。
【請求項５】
前記笠木部材と笠木とが、接着手段と機械的取付手段とを併用して取り付け固定されており、前記笠木部材と笠木とが嵌合又は当接する箇所に補助固定手段があらかじめ設けられていることを特徴とする請求項３又は請求項４に記載の笠木取り付け構造。
【請求項６】
前記笠木及び笠木部材が木質の集成材からなることを特徴とする請求項１〜請求項５のいずれかに記載の笠木取り付け構造。
【発明の詳細な説明】
【技術分野】
【０００１】
本発明は建物の階段や廊下の手すり壁の上部端面を覆う笠木であって、特に階段や廊下のコーナー箇所又は階段の手すり壁の床面からの略垂直な立ち上がり部に取り付けられる笠木の取り付け構造に関する。
【背景技術】
【０００２】
従来、建物の階段や廊下の手すり壁の上部端面を覆う部材として笠木が用いられてきた。この笠木は階段や廊下を人が昇降したり、また、歩行する際、笠木の天面に手を添えながら移動すると安全にしかも楽に移動できるので大変重宝であるとともに手すり壁の上部端面の外観の向上にも有用な部材であった。用いられる材料としては、アルミ、真鍮、鋼板製など金属製のもの、塩ビ、ポリエステル樹脂など合成樹脂成型体を利用したもの、欅、桧、松、メープル、ナラ、オーク、チーク、ウオルナットなどの木質無垢材のラミナを集成接着して作製された集成材からなるもの、合板又は中比重繊維板等の木質基材表面に化粧材を貼着したものなど、さまざまな材質のものがある。
【０００３】
図６に従来例の笠木取り付け構造を示す。（イ）は水平屈曲部を示す平面図、（ロ）及び（ハ）は階段の上がり鼻部を示す側面図である。本図で示すように、前記階段や廊下の手すり壁３の上部壁面３ａは必ずしも直線状とはいえなかった。すなわち、手すり壁３は直線状の部分だけでなく、略直角に折曲し出隅又は入隅のコーナー部Ｃに用いられる場合も多々あった。この場合、水平に略直角に折曲するコーナー部Ｃに取り付けられる二本の水平笠木１２どうしは、従来は留め加工Ｔで接続されていた。
【０００４】
また、階段の場合は上がり鼻部において、斜行する階段の手すり壁３に用いる斜行笠木１５と階段の手すり壁３の床材１０の表面から略垂直に立ち上がる部分に用いる垂直笠木１６の二本の笠木どうしが斜交する状態で取り付けされることも多々あった。この場合においても、二本の笠木どうしは留め加工Ｔで接続されていた。また、階段の上がり鼻部において、階段の手すり壁３の垂直壁面には垂直笠木１６を設けず、斜行笠木１５の下端縁に特に加工を施さないままで取り付けされることも多々あった。
【０００５】
また、前記階段の手すり壁の場合、手すり壁の上部の大半が斜行して設けられ、それに続く下部の一部が水平に設けられる手すり壁の場合もあり、この場合は笠木においても手すり壁の上部端縁に沿って同様の形状で設けられている。すなわち、斜行笠木の下部の一部が水平に形成されている。このように下部の一部が水平な斜行笠木も用いられてきた。この場合においても、前記斜行笠木と垂直笠木の二本の笠木どうしが斜交する状態で取り付けされ、斜行笠木の下端部は水平で、垂直笠木とは略直角に取り付けられていた。この場合においても、二本の笠木どうしは留め加工Ｔで接続されていた。
【０００６】
さらに、図６の（ハ）に示し、上記に詳述したように、階段における手すり壁３に取り付ける斜行笠木１５の場合、斜行笠木１５のみを取り付け、床面から略垂直に立ち上がる垂直笠木１６を取り付けないといった施工も行われてきた。この場合は、上述したように、特に加工を施さないままで、すなわち、斜行笠木１５の下端縁は単に切断しただけの仕上げであった。
【０００７】
また、他の場合、特にベランダ等に用いられる金属製の柵状手摺の場合は、出隅又は入隅のコーナー部分にコーナー支柱を設け、該コーナー支柱を略直角に折曲する箇所の中心部に位置付け、笠木をコーナー支柱の箇所で略直交する二方向からコーナー支柱に留め加工で当接させた構造のものが用いられてきた。
【０００８】
このように、例えば出隅又は入隅コーナーの場合、筒状の笠木部材同士を略直角に端縁部で突き合わせ、コーナー支柱、平板部材及びコーナー部材を利用して連結する手摺連結構造の記載がある。（例えば、特許文献１参照）。
【０００９】
【特許文献１】特開２００１−０４０８４９号公報（第１−４頁、第１−２図）
【発明の開示】
【発明が解決しようとする課題】
【００１０】
ところが、上記特開２００１−０４０８４９号公報に記載された手摺連結構造によれば、笠木の連結箇所である出隅又は入隅コーナー部にコーナー支柱を必ず必要とし、さらに、平板部材やコーナー部材といった連結部材が複数種類必要となり部品点数も増え施工作業も繁雑になり、施工コストも高価につくといった問題点があった。さらに、２本の笠木どうしの交わる直角精度が極めて高くなければ取り付けにくくなり施工作業性にとって問題があった。
【００１１】
また、階段や廊下の上部壁面の手すり壁に用いる笠木において、出隅又は入隅コーナー部で水平に略直角に折曲して取り付けられる笠木の場合も、また、階段の場合で斜行する手すり壁に用いる斜行笠木の下端縁と床面から略垂直に立ち上がる垂直笠木とを斜行して取り付けられる笠木の場合も、二本の笠木どうしは留め加工で接続されていた。この留め加工は、出隅又は入隅コーナー部で水平に略直角に折曲して取り付けられる水平笠木の場合、該水平笠木を４５度の傾斜角度でかなり精確に切断加工する必要がある。また、階段の場合で斜行する手すり壁に用いる斜行笠木の下端縁と床面から略垂直に立ち上がる垂直笠木とを斜行して取り付ける笠木の場合、笠木を略６７．５度の傾斜角度でかなり精確に切断加工する必要がある。その際、切断精度が良くないと留め加工箇所で笠木どうしの間に隙間が発生するといった問題点があった。
【００１２】
さらに、笠木表面の化粧シートや化粧単板が長期間使用中に剥離することがあるが、この留め加工の場合、化粧シートや化粧単板の剥離が目立ち易く見た目の外観的に劣るものとなっていた。
【００１３】
また、出隅又は入隅コーナー部で水平に略直角に折曲して取り付けられる水平笠木の場合、コーナー下地に接着手段と機械的手段を併用して水平コーナー部材を取り付ける際、前記接着手段の接着力の発現にある程度の時間を要するが、機械的手段を用いることによって発生する衝撃で、接着力が完全に発現する途中で、二本の水平笠木の取り付け位置ズレが生じることがあり、これを防止するには手で水平笠木を押さえながら機械的手段で取り付ける必要があり、施工性が極めて悪かった。
【００１４】
また、階段における手すり壁に斜行笠木のみを取り付け床面から略垂直に立ち上がる垂直笠木を取り付けない場合においても、斜行笠木の下端縁はよほど精度良く切断しないと見た目の外観的に劣るものとなるといった問題点があった。
【００１５】
本発明の目的は、住宅の階段や廊下の出隅又は入隅コーナー部の手すり壁の上部端縁に水平方向に略直角に取り付けられる水平笠木どうし、又は、階段の手すり壁に設ける斜行笠木の下端縁と床面から略垂直に立ち上がる部分に取り付けるための垂直笠木どうし、又は、階段の場合で斜行笠木のみ取り付け垂直笠木を省略する場合の笠木取り付け構造であって、二本の笠木の接続箇所で切断加工精度が多少劣っていても簡単に精度良く外観的にも仕上がり良く取り付け可能で、また、取り付けの際の施工作業性にも優れ、さらに、単一の部材のみで極めて容易に笠木どうしを接続可能とし、長期間使用後に化粧シートの剥離等が生じても目立つことがない笠木取り付け構造を安価に提供することにある。
【課題を解決するための手段】
【００１６】
上記課題を解決するためになされた請求項１に記載の発明は、住宅の手すり壁コーナーの上部端縁にコーナー下地を介して笠木部材によって取り付けられる笠木取り付け構造であって、一方の水平笠木と、それと略直角に取り付けられる他方の水平笠木と、それらを接続する笠木部材としての水平コーナー部材とからなり、該水平コーナー部材によって両方からの水平笠木どうしが略直交するように折曲して設けられ、前記水平コーナー部材の笠木側端縁に切欠段部が被せ部を残すようにして設けられ、前記水平笠木端縁が水平コーナー部材の切欠段部に嵌合され、被せ部で隠蔽されていることを特徴とする。
【００１７】
このような構成によれば、住宅の階段や廊下の出隅又は入隅コーナー部の手すり壁の上部端縁に笠木部材としての水平コーナー部材を介して二本の水平笠木を略直角に取り付ける際、前記水平笠木端縁が切欠段部内に嵌合され、被せ部で隠蔽されているので、二本の水平笠木の接続箇所で切断加工精度が多少劣っていても簡単に精度良く外観的にも仕上がり良く取り付け可能で、単一の連結部材のみで極めて容易に水平笠木どうしを連結可能とし、長期間使用後に化粧シートの剥離等が生じても目立つことがない笠木取り付け構造が安価に可能となる。しかも、単一の連結部材のみで極めて容易に水平笠木どうしを略直角に連結可能となる。
【００１８】
請求項２に記載の発明は、請求項１に記載の笠木取り付け構造において、前記水平コーナー部材はコーナー下地の表面に設けられた接着手段とコーナー下地の端部に設けられた機械的取付手段とを併用して取り付け固定されており、前記コーナー下地表面の水平笠木側の端縁近傍に補助固定手段があらかじめ設けられていることを特徴とする。
【００１９】
このような構成によれば、前記コーナー下地表面の水平笠木側の端縁近傍に補助固定手段があらかじめ設けられているので、コーナー下地の表面に接着手段を用い、それと併用してコーナー下地の端部に機械的取付手段を用いて水平コーナー部材を取り付け固定する際、前記接着手段の接着力の発現にある程度の時間を要するが、その間、前記補助固定手段が水平コーナー部材をしっかりと固定するので、機械的取付手段の衝撃で水平コーナー部材と水平笠木との取り付け位置ズレが生じるといった恐れがなく精度良く取り付け可能で、しかも施工作業性に大変優れる。
【００２０】
請求項３に記載の発明は、住宅の階段の手すり壁の上部端縁及び床面から略垂直な立ち上がり側面に笠木部材によって取り付けられる笠木取り付け構造であって、階段側の斜行笠木と、床面から立ち上がるように取り付けられる垂直笠木と、それらを接続する笠木部材としての縦コーナー部材とからなり、該縦コーナー部材を介して両方からの笠木どうしが斜交するように折曲して設けられ、前記縦コーナー部材の少なくとも斜行笠木側の端縁には切欠段部が被せ部を残すようにして設けられ、前記斜行笠木の端縁が縦コーナー部材の切欠段部に嵌合され被せ部で隠蔽されており、前記垂直笠木の上部端縁が縦コーナー部材の下端縁に嵌合又は当接していることを特徴とする。
【００２１】
このような構成によれば、住宅の階段の手すり壁の上部端縁に斜行笠木及び床面から略垂直な立ち上がり側面に垂直笠木を取り付けるために笠木部材を取り付ける際、前記斜行笠木の下端縁が切欠段部内に嵌合され、被せ部で隠蔽されており、垂直笠木の上部端縁が縦コーナー部材の下端縁の切欠段部内に嵌合されるか又は縦コーナー部材に隠れるので二本の笠木の接続箇所で切断加工精度が多少劣っていても、外観上欠点が目立ちにくい。すなわち、斜行笠木下端縁は縦コーナー部材に設けられた切欠段部内に嵌合されるので欠点が目立ちにくく、また、垂直笠木上部端縁は縦コーナー部材に嵌合または当接することで縦コーナー部材に隠れて外観上欠点が目立ちにくい。従って、簡単に精度良く外観的にも仕上がり良く取り付け可能で、単一の連結部材のみで極めて容易に笠木どうしを連結可能とし、長期間使用後に化粧シートの剥離等が生じても同様の理由で欠点が目立ちにくい笠木取り付け構造を安価に提供することができる。しかも、単一の部材のみで極めて容易に施工できる。
【００２２】
請求項４に記載の発明は、住宅の階段の手すり壁の上部端縁に笠木部材によって斜行して取り付けられる笠木取り付け構造であって、斜行して取り付けられる斜行笠木と、該斜行笠木の下端縁に取り付けられる笠木部材としてのスタート部材とからなり、前記スタート部材の斜行笠木側の端縁に切欠段部が被せ部を残すようにして設けられ、前記斜行笠木の下端縁がスタート部材の切欠段部に嵌合され、被せ部で隠蔽されていることを特徴とする。
【００２３】
このような構成によれば、階段の手すり壁上部端面に斜行笠木を取り付ける際、前記斜行笠木の下端縁が切欠段部内に嵌合され、被せ部で隠蔽されているので、欠点が目立ちにくい。すなわち、斜行笠木の下端部で切断加工精度が多少劣っていても、斜行笠木の下端縁がスタート部材の切欠段部に嵌合され、被せ部で隠蔽されているので、極めて簡単に精度良く外観的にも仕上がり良く取り付け可能で、単一の連結部材のみで極めて容易に斜行笠木下端部を仕上がり良く納めることが可能で、しかも、長期間使用後に化粧シートの剥離等が生じても目立つことがない笠木取り付け構造を安価に提供することができる。しかも、単一の部材のみで極めて容易に施工できる。
【００２４】
請求項５に記載の発明は、請求項３又は請求項４に記載の笠木取り付け構造において、前記笠木部材と笠木とが接着手段と機械的取付手段とを併用して取り付け固定されており、前記笠木部材と笠木とが嵌合又は当接する箇所に補助固定手段があらかじめ設けられていることを特徴とする。
【００２５】
このような構成によれば、前記縦コーナー部材やスタート部材などの笠木部材と笠木とが嵌合又は当接する箇所に補助固定手段があらかじめ設けられているので、前記縦コーナー部材やスタート部材などの笠木部材を接着手段と機械的取付手段とを併用して取り付け固定する際、前記接着手段の接着力の発現にある程度の時間を要するが、その間、前記補助固定手段が縦コーナー部材やスタート部材などの笠木部材をしっかり固定するので、機械的取付手段の衝撃で前記縦コーナー部材やスタート部材などの笠木部材の取り付け位置ズレが生じる恐れがなく精度良く取り付け可能で、しかも、施工作業性に大変優れる。
【００２６】
請求項６に記載の発明は、請求項１〜請求項５のいずれかに記載の笠木取り付け構造において、前記笠木及び笠木部材が木質の集成材からなることを特徴とする。
【００２７】
このような構成によれば、木質集成材は現場加工し易く、しかも、加工し易いわりには強度耐久性にも優れているので施工作業性、強度耐久性にとって、よりいっそう優れたものとなる。
【発明の効果】
【００２８】
請求項１に記載の発明によれば、住宅の階段や廊下の出隅又は入隅コーナー部の手すり壁の上部端縁に笠木部材としての水平コーナー部材を介して二本の水平笠木を略直角に取り付ける際、前記水平笠木端縁が切欠段部内に嵌合され、被せ部で隠蔽されているので、二本の水平笠木の接続箇所で切断加工精度が多少劣っていても簡単に精度良く外観的にも仕上がり良く取り付け可能で、単一の連結部材のみで極めて容易に水平笠木どうしを連結可能とし、長期間使用後に化粧シートの剥離等が生じても目立つことがない笠木取り付け構造が安価に可能となる。しかも、単一の連結部材のみで極めて容易に水平笠木どうしを略直角に連結可能となる。
【００２９】
請求項２に記載の発明によれば、前記コーナー下地表面の水平笠木側の端縁近傍に補助固定手段があらかじめ設けられているので、コーナー下地の表面に接着手段を用い、それと併用してコーナー下地の端部に機械的取付手段を用いて水平コーナー部材を取り付け固定する際、前記接着手段の接着力の発現にある程度の時間を要するが、その間、前記補助固定手段が水平コーナー部材をしっかりと固定するので、機械的取付手段の衝撃で水平コーナー部材と水平笠木との取り付け位置ズレが生じる恐れがなく精度良く取り付け可能で、しかも施工作業性に大変優れる。
【００３０】
請求項３に記載の発明によれば、住宅の階段の手すり壁の上部端縁に斜行笠木及び床面から略垂直な立ち上がり側面に垂直笠木を取り付けるために笠木部材を取り付ける際、前記斜行笠木の下端縁が切欠段部内に嵌合され、被せ部で隠蔽されており、垂直笠木の上部端縁が縦コーナー部材の下端縁の切欠段部内に嵌合されるか又は縦コーナー部材に隠れるので二本の笠木の接続箇所で切断加工精度が多少劣っていても、外観上欠点が目立ちにくい。すなわち、斜行笠木下端縁は縦コーナー部材に設けられた切欠段部内に嵌合されるので欠点が目立ちにくく、また、垂直笠木上部端縁は縦コーナー部材に嵌合または当接することで縦コーナー部材に隠れて外観上欠点が目立ちにくい。従って、簡単に精度良く外観的にも仕上がり良く取り付け可能で、単一の連結部材のみで極めて容易に笠木どうしを連結可能とし、長期間使用後に化粧シートの剥離等が生じても同様の理由で欠点が目立ちにくい笠木取り付け構造を安価に提供することができる。しかも、単一の部材のみで極めて容易に施工できる。
【００３１】
請求項４に記載の発明によれば、階段の手すり壁上部端面に斜行笠木を取り付ける際、前記斜行笠木の下端縁が切欠段部内に嵌合され、被せ部で隠蔽されているので、欠点が目立ちにくい。すなわち、斜行笠木の下端部で切断加工精度が多少劣っていても、斜行笠木の下端縁がスタート部材の切欠段部に嵌合され、被せ部で隠蔽されているので、極めて簡単に精度良く外観的にも仕上がり良く取り付け可能で、単一の連結部材のみで極めて容易に斜行笠木下端部を仕上がり良く納めることが可能で、しかも、長期間使用後に化粧シートの剥離等が生じても目立つことがない笠木取り付け構造を安価に提供することができる。しかも、単一の部材のみで極めて容易に施工できる。
【００３２】
請求項５に記載の発明によれば、前記縦コーナー部材やスタート部材などの笠木部材と笠木とが嵌合又は当接する箇所に補助固定手段があらかじめ設けられているので、前記縦コーナー部材やスタート部材などの笠木部材を接着手段と機械的取付手段とを併用して取り付け固定する際、前記接着手段の接着力の発現にある程度の時間を要するが、その間、前記補助固定手段が縦コーナー部材やスタート部材などの笠木部材をしっかり固定するので、機械的取付手段の衝撃で前記縦コーナー部材やスタート部材などの笠木部材の取り付け位置ズレが生じる恐れがなく精度良く取り付け可能で、しかも、施工作業性に大変優れる。
【００３３】
請求項６に記載の発明によれば、木質集成材は現場加工し易く、しかも、加工し易いわりには強度耐久性にも優れているので施工作業性、強度耐久性にとって、よりいっそう優れたものとなる。
【発明を実施するための最良の形態】
【００３４】
本発明の詳細を図面に従って説明する。図１は本発明の第一実施形態の笠木取り付け構造で水平折曲部の斜視図である。図２は本発明の第一実施形態の施工手順を示す説明図である。（イ）は水平コーナー部材取り付け前の状態を示す説明図である。（ロ）は水平コーナー部材取り付け後の一部切欠側面図である。図３は本発明の第二実施形態の笠木取り付け構造で階段の上がり鼻部における斜視図である。図４の（イ）は本発明の第二実施形態の要部拡大側断面図である。（ロ）は第二実施形態の他の例の要部拡大側断面図である。図５は本発明の第三実施形態における笠木取り付け構造で階段の上がり鼻部における側断面図である。図中、１は水平コーナー部材、１ａは笠木側端縁、Ｄは切欠段部、Ｅは切欠段部の被せ部、Ｌは切欠段部の深さ寸法、Ｗは切欠段部の幅寸法、２は水平笠木、２ａは水平笠木端縁、３は手すり壁、３ａは斜行する手すり壁の上部端縁、３ｂはコーナー下地、３ｃは階段の上がり鼻部において床面から略垂直に立ち上がる側面、Ｃはコーナー部、Ｎは機械的取付手段、Ｓは接着手段、Ｈは補助固定手段、４は縦コーナー部材、４ａは斜行笠木側の端縁、４ｂは下端縁、Ｆ１は平坦面、５は斜行笠木、５ａは斜行笠木下端縁、６は垂直笠木、６ａは垂直笠木の上部端縁、７はスタート部材、７ａはスタート部材の斜行笠木側端縁、７ｂはスタート部材の下端縁、Ｆ２は平坦面、８は踏板、９は蹴込板、１０は床材を示す。
【００３５】
図１、図２において、本発明の第一実施形態について述べる。本発明の第一実施形態は、住宅の手すり壁３が水平状態で折曲する箇所における笠木取り付け構造である。すなわち、２本の水平笠木２が略直角方向に直交するように設けられる箇所での笠木取り付け構造である。階段を上りきった２階の廊下の出隅又は入隅のコーナー部Ｃの箇所における２本の水平笠木２どうしを略直角に接合させる取り付け構造である。この手すり壁３は２階の廊下以外に階段部分にも多く用いられている。階段部分の場合は、手すり壁３そのものが斜行している場合が多いが、階段のパターンによっては、中間の踊り場や中間の廻り階段部分において、手すり壁３が水平方向に略直角方向に折曲するパターンもあり、この場合も第一実施形態と同様の構造となる。
【００３６】
本発明の第一実施形態は、略直角方向から延設され、上部端縁３ａが水平で略直角に折曲して設けられている２つの手すり壁３どうしが略直角に交わるコーナー部Ｃにおいて、出隅コーナー部又は入隅コーナー部が形成されている。そして、それぞれの手すり壁３の上部端縁３ａに、それぞれ水平笠木２が設けられている。このコーナー部Ｃの箇所には本発明の水平コーナー部材１が取り付けられている。本図で示すように水平コーナー部材１を介して２本の水平笠木２が略直交するように折曲して設けられている。
【００３７】
本発明の水平コーナー部材１は平面視、略正方形の形状であり、厚みが比較的薄い部材からなる。水平コーナー部材１の端縁１ａ、すなわち、水平コーナー部材１の略正方形の四辺のうちの、前記２本の水平笠木２と接続される側の直交二辺側の端縁に切欠段部Ｄが設けられている。該切欠段部Ｄの切欠形状は、図２の（ロ）に示すように、水平コーナー部材１を断面で見て、表面と左右の３方において被せ部Ｅを残し、所定の切欠段部の幅寸法Ｗで、所定の切欠段部の深さ寸法Ｌで、切欠加工され、切欠段部の底面が略垂直に水平コーナー部材１の裏面側まで形成されている。平面視、裏面側から見ると、前記切欠段部Ｄが水平コーナー部材１の端縁１ａの箇所に略Ｌ字型形状に形成されている。
【００３８】
水平笠木２の厚み寸法と水平コーナー部材１の切欠段部の幅寸法Ｗが略等しい。詳しくは、前記水平笠木２の厚み寸法が前記切欠段部の幅寸法Ｗよりも若干（約１ｍｍ程度）小さくなるように加工されている。前記二本の水平笠木２の水平コーナー部材１の側の端縁２ａが前記切欠段部Ｄ内に嵌合され、先端が切欠段部の底面に略当接するか又は先端が底面近傍にまで嵌挿されて、前記切欠段部の被せ部Ｅによって上と左右から押さえこまれるようにして取り付けられている。
【００３９】
本発明の水平コーナー部材１、水平笠木２の材料は、一例として、木質の集成材、合板又は中比重繊維板等の木質基材表面に化粧材を貼着したものが好適なものとして例示できる。前記化粧材の例として、天然銘木の突板や単板、塩ビ樹脂やオレフィン樹脂からなる樹脂シートに木目柄などを印刷したもの、紙に木目柄などを印刷した化粧紙などを好適なものとして例示できる。また、他の例として合成樹脂成型体を基材としその表面に前記化粧材を貼着したものなども好適なものとして挙げることができる。しかし、これらに限定されるものではない。
【００４０】
これらの材料のなかで、木質の集成材が最も好適である。木質集成材は現場加工し易く、しかも、加工し易いわりには強度耐久性にも優れているので施工作業性、強度耐久性にとって、よりいっそう優れたものとなる。
【００４１】
本発明の第一実施形態における各部材の寸法は、一例として、前記手すり壁３の厚み寸法は通常約１３０ｍｍ程度であり、水平笠木２は厚みが約２５ｍｍ程度、幅が約１５０ｍｍ程度であり、手すり壁３の上端縁３ａに取り付けた際の手すり壁表面から突出する寸法、すなわち突出部の寸法は左右それぞれ約１０ｍｍ程度である。また、水平コーナー部材１の寸法は、厚みが約３０ｍｍ程度、平面視の形状は略正方形で、一辺の寸法は約１６０ｍｍ程度、切欠段部Ｄの寸法は深さ寸法Ｌが約５ｍｍ程度、幅寸法Ｗが約２６ｍｍ程度、被せ部Ｅの厚みが約４ｍｍ程度である。また、水平コーナー部材１の端縁１ａが手すり壁３から突出する突出部の寸法は約１５ｍｍ程度である。これらの寸法は好適な一例であり、これらの寸法に限定されるものではない。
【００４２】
次に、本発明の第一実施形態における施工手順について述べる。図２の（イ）に示すように、先ず、手すり壁３の上端縁３ａに水平笠木２を接着手段Ｓと機械的取付手段Ｎを併用して取り付ける。手すり壁３と水平笠木２との相互の取り付けの位置関係は上記のとおりである。手すり壁３のコーナー部Ｃの箇所で二本の水平笠木２の端縁２ａどうしが接触しないように、水平笠木端縁２ａの先端を前記コーナー部Ｃの端から若干寸法（約１０ｍｍ程度）手前へ引き戻した位置関係で取り付ける。接着手段Ｓとしては、笠木の材質と手すり壁上端縁３ａの材質に適した接着剤がよい。例えば、各部材が木質材料からなる場合は、木工用接着剤がよい。例えば酢酸ビニル樹脂系接着剤、ウレタン樹脂系接着剤、合成ゴム系接着剤等が好適なものとして例示できる。機械的取付手段Ｎとしては、例えば木工用の釘、木ネジ等が好適なものとして例示できる。接着剤は手すり壁の上端縁３ａに適量塗布すればよい。釘等は、手すり壁３の側面の上部から水平笠木２の突出部近傍に向けて下から斜め上に釘を打ち上げるとよい。水平笠木２の表面から釘打ちすることは、釘跡が残るので外観上見苦しい。
【００４３】
次に、手すり壁の上部端縁で、コーナー部Ｃのコーナー下地３ｂに水平コーナー部材１を取り付ける。先ず、手すり壁３の上部端縁のコーナー部Ｃのコーナー下地３ｂに接着手段Ｓとして接着剤を適量塗布する。この接着剤は水平笠木２の取り付け時に用いたものと同様のものでよい。続いて、前記コーナー下地３ｂの表面の水平笠木２側の端縁近傍に補助固定手段Ｈを平面視略Ｌ字型にあらかじめ設けておく。前記補助固定手段Ｈは、たとえば、接着力が極めて早期に発現する粘着剤又は接着剤をベースに作製された接着テープ等を好適なものとして挙げることができる。例えば、アクリル樹脂系、ウレタン樹脂系の両面テープを好適なものとして例示できる。
【００４４】
この補助固定手段Ｈは前記接着手段Ｓが接着硬化して接着力が完全に発現するまでの間に、水平コーナー部材１の取り付け位置がずれることを有効に防止し、施工効率を向上させる働きがある。前記接着手段Ｓが接着硬化して接着力が完全に発現するまでの時間は、接着剤の種類や作業環境温度にもよるが、長時間の養生が必要となる。少なくとも２〜３時間以上はかかる。施工の効率を考慮すると完全に接着力が発現するまでに機械的取付手段Ｎを用いて水平コーナー部材１を取り付け固定するのが望ましい。このように、接着剤が完全硬化するまでに機械的取付手段Ｎを用いて水平コーナー部材１を取り付け固定した場合、せっかく正確に位置決めして取り付けた水平コーナー部材１が釘打ち作業時の衝撃で、位置ズレする恐れがある。それを防止するために、接着力が極めて短時間で発現する粘着剤をベースとした両面粘着テープを補助固定手段Ｈとして用いるとよい。
【００４５】
前記補助固定手段Ｈは、コーナー下地３ｂの表面の水平笠木２側の端縁近傍に平面視略Ｌ字型に設けるとよい。これと対向する二片側は水平笠木２の場合と同様に釘を斜め下から打ち上げるとよい。すなわち、釘等は、手すり壁３の側面の上部から水平コーナー部材１の突出部近傍に向けて下から斜め上に釘を打ち上げるとよい。水平コーナー部材１の表面から釘打ちすることは、釘跡が残るので外観上見苦しい。
【００４６】
このようにして、二本の水平笠木２と水平コーナー部材１を取り付け完了すると、図２の（ロ）に示すような状態となる。水平コーナー部材１と水平笠木２の端縁２ａとは、平面視若干ずれている。本例では約５ｍｍ程度である。これを垂直方向の断面で見ると、図２の（ロ）に示すようになる。水平笠木２の端縁２ａが水平コーナー部材１の切欠段部Ｄ内に嵌合されている。本例では、切欠段部Ｄの深さ寸法Ｌを約５ｍｍとすると、約５ｍｍ弱程度だけ、水平笠木端縁２ａが嵌合されている。さらに、水平コーナー部材１を取り付けるコーナー下地３ｂの表面において、水平コーナー部材１の水平笠木側端縁１ａの近傍に、補助固定手段Ｈが設けられている。そして、コーナー下地３ｂにおいて、前記補助固定手段Ｈと対向する端面には斜め下方から機械的取付手段Ｎとしての釘が打ち込まれている。
【００４７】
図３、図４において、本発明の第二実施形態における笠木取り付け構造について述べる。住宅の階段の上がり鼻部における笠木取り付け構造は、住宅の階段の上がり鼻部において、斜行する手すり壁３の上部端縁３ａに取り付けられる斜行笠木５、及び、床面の床材１０から略垂直に立ち上がる側面３ｃに取り付けられる垂直笠木６、及び、それらの間を接続する縦コーナー部材４とで構成される笠木取り付け構造である。前記縦コーナー部材４を介して両方からの笠木どうしの端縁、すなわち、斜行笠木５の端縁５ａと垂直笠木６の上部端縁６ａとが斜交するようにして折曲して設けられている。
【００４８】
前記縦コーナー部材４の少なくとも斜行笠木側の端縁４ａに切欠段部Ｄが被せ部Ｅを残すようにして設けられている。この場合においても、前記水平コーナー部材の場合と同様に、被せ部Ｅは斜行笠木５を上と左右の３方から押さえ込むようにして設けられている。このようにして、前記斜行笠木５の下端縁５ａが縦コーナー部材４の切欠段部Ｄ内に嵌合されている。また、縦コーナー部材４の下端縁４ｂは切欠段部Ｄが設けられているか又は切欠段部Ｄが設けられておらず平坦面Ｆ１であるかのいずれかである。前記垂直笠木６の上部端縁６ａが縦コーナー部材４の下端縁４ｂの切欠段部Ｄに嵌合されているか又は下端縁４ｂの前記平坦面Ｆ１に当接しているかのいずれかである。嵌合されている場合は、被せ部Ｅは垂直笠木６を上と左右の３方から押さえ込むようにして設けられている。
【００４９】
前記縦コーナー部材４の斜行笠木側端縁４ａと下端縁４ｂにあらかじめ補助固定手段Ｈが設けられている。縦コーナー部材４と斜行笠木５との取り付け、及び、縦コーナー部材４と垂直笠木６との取り付けの際、接着手段Ｓと機械的取付手段Ｎとを併用するとよい。さらに、施工の効率を考慮すると接着手段Ｓが完全に硬化し、接着力が完全に発現するまでに機械的取付手段Ｎを用いて縦コーナー部材４を取り付け固定するのが望ましい。しかし、接着剤が完全に硬化して接着力を発揮するまでに少なくとも２〜３時間以上はかかる。そして、接着剤が完全に硬化するまでに釘打ちなどの機械的取付手段Ｎによる衝撃や振動が加わると、接着力が十分に発揮されない間に、この衝撃力や振動が加わることになり、接着不良の原因となる。そこで、縦コーナー部材４と斜行笠木５との取り付け、及び、縦コーナー部材４と垂直笠木６との取り付けの際、前記縦コーナー部材４と斜行笠木５や垂直笠木６が嵌合又は当接する箇所に、あらかじめ、補助固定手段Ｈが設けられていると、縦コーナー部材４と斜行笠木５や垂直笠木６との取り付けが強固に安定したものとなる。
【００５０】
前記補助固定手段Ｈは、たとえば、接着力が極めて早期に発現する粘着剤又は接着剤をベースに作製された接着テープ等を好適なものとして挙げることができる。例えば、アクリル樹脂系、ウレタン樹脂系の両面テープを好適なものとして例示できる。
【００５１】
この補助固定手段Ｈは前記接着手段Ｓが接着硬化して接着力が完全に発現するまでの間に、縦コーナー部材４の取り付け位置がずれることを有効に防止し、施工効率を向上させる働きがある。すなわち、前記縦コーナー部材４などの笠木部材を接着手段Ｓと機械的取付手段Ｎとを併用して取り付け固定する際、前記接着手段Ｓの接着力の発現にある程度の時間を要するが、その間、前記補助固定手段Ｈが縦コーナー部材４などの笠木部材をしっかり固定するので、機械的取付手段Ｎの衝撃で前記縦コーナー部材４などの笠木部材の取り付け位置ズレが生じる恐れがなく精度良く取り付け可能で、しかも、施工作業性に大変優れる。
【００５２】
本発明の縦コーナー部材４、斜行笠木５、垂直笠木６などの材料は、一例として、木質の集成材、合板又は中比重繊維板等の木質基材表面に化粧材を貼着したものが好適なものとして例示できる。前記化粧材の例として、天然銘木の突板や単板、塩ビ樹脂やオレフィン樹脂からなる樹脂シートに木目柄などを印刷したもの、紙に木目柄などを印刷した化粧紙などを好適なものとして例示できる。また、他の例として合成樹脂成型体を基材としその表面に前記化粧材を貼着したものなども好適なものとして挙げることができる。しかし、これらに限定されるものではない。
【００５３】
これらの材料のなかで、木質の集成材が最も好適である。木質集成材は現場加工し易く、しかも、加工し易いわりには強度耐久性にも優れているので施工作業性、強度耐久性にとって、よりいっそう優れたものとなる。
【００５４】
図５において、本発明の第三実施形態における笠木取り付け構造について述べる。住宅の階段の上がり鼻部における笠木取り付け構造のもう一方の実施形態について述べる。住宅の階段の上がり鼻部において、斜行する手すり壁３の上部端縁３ａに取り付けられる斜行笠木５と、該斜行笠木５の下端縁５ａに取り付けられる笠木部材としてのスタート部材７ととで構成される笠木取り付け構造である。手すり壁３が床面の床材１０から略垂直に立ち上がる側面３ｃは笠木を取り付けることなく、手すり壁の立ち上がり垂直側面３ｃのままで、そこの箇所は壁紙（図示せず）等で仕上げられている。
【００５５】
前記スタート部材７の斜行笠木側の端縁７ａに切欠段部Ｄが被せ部Ｅを残すようにして設けられている。この場合においても、前記水平コーナー部材１や縦コーナー部材４の場合と同様に、被せ部Ｅは斜行笠木５を上と左右の３方から押さえ込むようにして設けられている。そして、このようにして、斜行笠木５の下端縁５ａがスタート部材７の切欠段部Ｄ内に嵌合され、被せ部Ｅによって隠蔽されている。また、スタート部材７の下端縁７ｂは平坦面Ｆ２である。
【００５６】
前記スタート部材７の斜行笠木側端縁７ａに、あらかじめ、補助固定手段Ｈが設けられている。スタート部材７と斜行笠木５との取り付けの際、接着手段Ｓと機械的取付手段Ｎとを併用するとよい。さらに、施工の効率を考慮すると接着手段Ｓが完全に硬化し、接着力が完全に発現するまでに機械的取付手段Ｎを用いてスタート部材７を取り付け固定するのが望ましい。しかし、接着剤が完全に硬化して接着力を発揮するまでに少なくとも２〜３時間以上はかかる。そして、接着剤が完全に硬化するまでに釘打ちなどの機械的取付手段Ｎによる衝撃や振動が加わると、接着力が十分に発揮されない間に、この衝撃力や振動が加わることになり、接着不良の原因となる。そこで、スタート部材７と斜行笠木５との取り付けの際、前記スタート部材７と斜行笠木５が嵌合する箇所に、あらかじめ、補助固定手段Ｈが設けられていると、スタート部材７と斜行笠木５との取り付けが強固に安定したものとなる。
【００５７】
前記補助固定手段Ｈは、たとえば、接着力が極めて早期に発現する粘着剤又は接着剤をベースに作製された接着テープや粘着テープ等を好適なものとして挙げることができる。例えば、アクリル樹脂系、ウレタン樹脂系の両面テープ等を好適なものとして例示できる。
【００５８】
この補助固定手段Ｈは前記接着手段Ｓが接着硬化して接着力が完全に発現するまでの間に、スタート部材７の取り付け位置がずれることを有効に防止し、施工効率を向上させる働きがある。
【００５９】
すなわち、前記スタート部材７や斜行笠木５などの笠木部材を接着手段Ｓと機械的取付手段Ｎとを併用して取り付け固定する際、前記接着手段Ｓの接着力の発現にある程度の時間を要するが、その間、前記補助固定手段Ｈがスタート部材７や斜行笠木５などの笠木部材をしっかり固定するので、機械的取付手段Ｎの衝撃で前記スタート部材７や斜行笠木５などの笠木部材の取り付け位置ズレが生じる恐れがなく精度良く取り付け可能で、しかも、施工作業性に大変優れる。
【００６０】
本発明のスタート部材７、斜行笠木５などの材料は、一例として、木質の集成材、合板又は中比重繊維板等の木質基材表面に化粧材を貼着したものが好適なものとして例示できる。前記化粧材の例として、天然銘木の突板や単板、塩ビ樹脂やオレフィン樹脂からなる樹脂シートに木目柄などを印刷したもの、紙に木目柄などを印刷した化粧紙などを好適なものとして例示できる。また、他の例として合成樹脂成型体を基材としその表面に前記化粧材を貼着したものなども好適なものとして挙げることができる。しかし、これらに限定されるものではない。
【００６１】
これらの材料のなかで、木質の集成材が最も好適である。木質集成材は現場加工し易く、しかも、加工し易いわりには強度耐久性にも優れているので施工作業性、強度耐久性にとって、よりいっそう優れたものとなる。
【図面の簡単な説明】
【００６２】
【図１】本発明の第一実施形態の笠木取り付け構造で水平折曲部の斜視図。
【図２】本発明の第一実施形態の施工手順を示す説明図。（イ）は水平コーナー部材取り付け前の状態を示す説明図。（ロ）は水平コーナー部材取り付け後の一部切欠側面図。
【図３】本発明の第二実施形態の笠木取り付け構造で階段上がり鼻部の斜視図。
【図４】（イ）は本発明の第二実施形態の要部拡大側断面図。（ロ）は第二実施形態の他の例の要部拡大側断面図。
【図５】本発明の第三実施形態の笠木取り付け構造で階段上がり鼻部の側断面図。
【図６】従来の笠木取り付け構造。（イ）は水平屈曲部を示す平面図。（ロ）及び（ハ）は階段の上がり鼻部を示す側面図。
【符号の説明】
【００６３】
１      水平コーナー部材
１ａ    笠木側端縁
Ｄ      切欠段部
Ｅ      切欠段部の被せ部
Ｌ      切欠段部の深さ寸法
Ｗ      切欠段部の幅寸法
２      水平笠木
２ａ    水平笠木端縁
３      手すり壁
３ａ    斜行する手すり壁の上部端縁
３ｂ    コーナー下地
３ｃ    階段の上がり鼻部において床面から略垂直に立ち上がる側面
Ｃ      コーナー部
Ｎ      機械的取付手段
Ｓ      接着手段
Ｈ      補助固定手段
４      縦コーナー部材
４ａ    斜行笠木側の端縁
４ｂ    下端縁
Ｆ１    平坦面
５      斜行笠木
５ａ    斜行笠木下端縁
６      垂直笠木
６ａ    垂直笠木の上部端縁
７      スタート部材
７ａ    スタート部材の斜行笠木側端縁
７ｂ    スタート部材の下端縁
Ｆ２    平坦面
８      踏板
９      蹴込板
１０    床材
１２    水平笠木
１５    斜行笠木
１６    垂直笠木
Ｔ      留め加工
【図１】
2009191483.tif 000003
【図２】
2009191483.tif 000004
【図３】
2009191483.tif 000005
【図４】
2009191483.tif 000006
【図５】
2009191483.tif 000007
【図６】
2009191483.tif 000008